(57)【要約】【課題】可変情報が印刷されるラベル等の形状等を容易に選択できるレーザー処理装置及びそのレーザー処理に好適な包装材を提供する。【解決手段】レーザー光１１を、シート原紙２に照射して、品名や賞味期限等の可変情報を表す文字等１２を印刷処理すると共に、シート原紙２に、ラベル形状にカット溝１３を形成するカット処理を行い、ラベルシートを作製する。また、包装材は、シート状の基材と、前記基材の一方の面に形成されて、レーザー光の照射によって印刷される被印刷層と、前記基材の他方の面に形成された粘着剤層と、前記粘着剤層を覆う包装シートとが積層されてなる。【選択図】図４
2018202831.tif 000002
【特許請求の範囲】
【請求項１】
レーザー光を、被印刷シートに照射して印刷処理すると共に、前記被印刷シートをカット処理するレーザー処理手段を備える、
ことを特徴とするレーザー処理装置。
【請求項２】
前記カット処理は、前記被印刷シートを、その幅方向に沿ってカットする処理を含む、
請求項１に記載のレーザー処理装置。
【請求項３】
前記被印刷シートが、シート状の基材と、前記基材の一方の面に形成されて、前記レーザー光の照射によって印刷される被印刷層と、前記基材の他方の面に形成された粘着剤層と、前記粘着剤層を覆う剥離シートとが積層された積層シートである、
請求項１または２に記載のレーザー処理装置。
【請求項４】
前記カット処理が、前記被印刷層の印刷処理される領域の周囲を囲むように枠状にカットする処理である、
請求項３に記載のレーザー処理装置。
【請求項５】
前記積層シートは、前記枠状にカットされた部分が、前記剥離シートから剥離されて被貼着物品に貼着されるものであり、
前記基材と前記粘着剤層との間に、前記基材及び前記被印刷層を、前記被貼着物品から剥離する際に、凝集破壊する破壊層を備える、
請求項４に記載のレーザー処理装置。
【請求項６】
前記被印刷層が、前記レーザー光の照射によって発色する感熱記録層である、
請求項３ないし５のいずれかに記載のレーザー処理装置。
【請求項７】
シート状の基材と、前記基材の一方の面に形成されて、レーザー光の照射によって印刷される被印刷層と、前記基材の他方の面に形成された粘着剤層と、前記粘着剤層を覆う包装シートとが積層されたことを特徴とする包装材。
【請求項８】
前記被印刷層には、当該包装材によって包装される物品に関する情報が、印刷されている、
請求項７に記載の包装材。
【請求項９】
前記情報には、前記包装される物品が配送される配送先の宛名を含む、
請求項８に記載の包装材。
【請求項１０】
前記基材と前記粘着剤層との間に、前記基材及び前記被印刷層を、前記包装シートから剥離する際に、凝集破壊する破壊層を備える、
請求項７ないし９のいずれかに記載の包装材。
【発明の詳細な説明】
【技術分野】
【０００１】
本発明は、被印刷シートにレーザー光を照射して、印刷処理及びカット処理を行うレーザー処理装置、及び、このレーザー処理装置による処理に好適な包装材に関する。
【背景技術】
【０００２】
スーパーマーケットなどで扱うパンや弁当などの食料品には、ラベルプリンタ等によって、その品名、加工時間、賞味期限等の可変情報が印刷されたラベルが、貼付されている（例えば、特許文献１参照）。
【０００３】
一般に、ラベルメーカーは、多数のラベルが剥離シートに仮着されたロール状のラベルシートを、ス−パ−マーケットや食料品の調理加工センター等の商品メーカーへ提供し、商品メーカーでは、このラベルシートのラベルに、品名や賞味期限等の可変情報をラベルプリンタ等で印刷し、包装された食料品等に貼り付けるようにしている。
【先行技術文献】
【特許文献】
【０００４】
【特許文献１】特開平１１−０３４１８８
【発明の概要】
【発明が解決しようとする課題】
【０００５】
上記のように、従来では、ラベルメーカーでは、ラベルシートを提供し、商品メーカーでは、提供されたラベルシートのラベルに可変情報を印刷して食料品等の商品に貼り付けるので、例えば、商品メーカーにおいて、ラベルの形状やサイズを任意に選択することはできず、希望する形状等のラベルのラベルシートを、ラベルメーカーから新たに提供してもらう必要があり、利便性に劣るものである。
【０００６】
また、ラベルメーカーにおいては、多くの商品メーカー毎に、形状やサイズが異なる多種類のラベルシートを製造することは、生産効率の低下を招く。
【０００７】
本発明は、情報が印刷されるラベル等の形状やサイズを容易に選択できるようにして上記課題を解決することを目的とする。
【課題を解決するための手段】
【０００８】
上記目的を達成するために、本発明では次のように構成している。
【０００９】
（１）本発明のレーザー処理装置は、レーザー光を、被印刷シートに照射して印刷処理すると共に、前記被印刷シートをカット処理するレーザー処理手段を備える。
【００１０】
本発明のレーザー処理装置によると、レーザー光を照射して印刷処理すると共に、カット処理するので、各種の情報が印刷された様々な形状やサイズの印刷シートを得ることができ、例えば、可変情報が印刷された様々な形状やサイズのラベル等を作製することができる。
【００１１】
（２）本発明の一実施態様では、前記カット処理は、前記被印刷シートを、その幅方向に沿ってカットする処理を含む。
【００１２】
被印刷シートを幅方向に沿ってカットする処理は、被印刷シートの全幅に亘ってカットする処理であってもよく、あるいは、幅方向の一部に亘って、例えば幅方向の端部や中央部をカットする処理であってもよい。また、被印刷シートの幅方向の一部に亘ってカット処理する場合には、被印刷シートの長手方向に沿うカット処理も行って、前記幅方向にカット処理した部分のカット端と前記長手方向にカット処理した部分のカット端とが連続するようにカット処理するのが好ましい。
【００１３】
この実施態様によると、被印刷シートのカット処理は、被印刷シートを、その幅方向に沿ってカットする処理を含むので、被印刷シートを、その幅方向にカットした様々な形状やサイズのラベル等を作製することができる。
【００１４】
（３）本発明の好ましい実施態様では、前記被印刷シートが、シート状の基材と、前記基材の一方の面に形成されて、前記レーザー光の照射によって印刷される被印刷層と、前記基材の他方の面に形成された粘着剤層と、前記粘着剤層を覆う剥離シートとが積層された積層シートである。
【００１５】
この実施態様によると、各種の情報を印刷してカット処理した部分を、剥離シートから剥がしてラベル等として使用することができる。
【００１６】
（４）本発明の他の実施態様では、前記カット処理が、前記被印刷層の印刷処理される領域の周囲を囲むように枠状にカットする処理である。
【００１７】
この実施態様によると、印刷処理される領域を囲むように枠状にカット処理するので、枠内に、例えば賞味期限や配送先の宛名などの可変情報等を印刷し、その枠内の部分を、例えば、ラベルや配送伝票等として使用することができる。また、カット処理による枠の形状を選択して、所望の形状やサイズのラベルや配送伝票等を作製することが可能となる。
【００１８】
（５）本発明の他の実施態様では、前記積層シートは、前記枠状にカットされた部分が、前記剥離シートから剥離されて被貼着物品に貼着されるものであり、前記基材と前記粘着剤層との間に、前記基材及び前記被印刷層を、前記被貼着物品から剥離する際に、凝集破壊する破壊層を備える。
【００１９】
この実施態様によると、剥離シートから剥離した枠状の部分をラベル等として、被貼着物品に貼着し、その後、ラベル等を、被貼着物品から剥離するときには、破壊層で凝集破壊を起こし、この破壊層の部分で剥離される。これによって、容易にラベル等を剥がすことができると共に、被貼着物品に残った粘着剤を凝集破壊した破壊層が覆うことによって、粘着剤によるべたつきを防止することができる。
【００２０】
（６）本発明の好ましい実施態様では、前記被印刷層が、前記レーザー光の照射によって発色する感熱記録層である。
【００２１】
この実施態様によると、レーザー光の照射による熱によって、感熱記録層が発色して印刷することができる。
【００２２】
（７）本発明の包装材は、シート状の基材と、前記基材の一方の面に形成されて、レーザー光の照射によって印刷される被印刷層と、前記基材の他方の面に形成された粘着剤層と、前記粘着剤層を覆う包装シートとが積層されている。
【００２３】
本発明の包装材によると、レーザー光を照射して被印刷層に、必要な情報、例えば、当該包装材によって包装される物品名やその物品の取扱いについての情報等を印刷すると共に、当該包装材を、レーザー光を照射して物品を包装するのに必要なサイズにカット処理することによって、必要な情報が印刷された所要のサイズの包装材を得ることができる。
【００２４】
したがって、本発明の包装材は、レーザー光の照射によって印刷処理及びカット処理を行う本発明のレーザー処理装置による処理に好適である。
【００２５】
（８）本発明の他の実施態様では、前記被印刷層には、当該包装材によって包装される物品に関する情報が、印刷されている。
【００２６】
この実施態様によると、包装材自体に、当該包装材によって包装される物品に関する情報、例えば、物品名やその物品の取扱いについての、例えば「割れ物注意」や「天地無用」といった情報等が印刷されるので、かかる情報が印刷されたラベル等を、包装材に貼着する必要がない。
【００２７】
（９）本発明の更に他の実施態様では、前記情報には、前記包装される物品が配送される配送先の宛名を含んでいる。
【００２８】
この実施態様によると、包装材自体に、当該包装材によって包装される物品が配送される配送先の宛名が印刷されているので、配送先の宛名が印刷された宛名ラベルや配送伝票等を包装材に貼着する必要がない。
【００２９】
（１０）本発明の好ましい実施態様では、前記基材と前記粘着剤層との間に、前記基材及び前記被印刷層を、前記包装シートから剥離する際に、凝集破壊する破壊層を備える。
【００３０】
この実施態様によると、配送先の宛名等が印刷された当該包装材によって物品を包装して配送した後に、印刷された宛名部分を、包装シートから剥がして廃棄する際に、破壊層で凝集破壊を起こし、この破壊層の部分で剥離されるので、容易に宛名部分を剥がすことができると共に、包装シートに残った粘着剤を凝集破壊した破壊層が覆うことによって、粘着剤によるべたつきを防止することができる。
【発明の効果】
【００３１】
本発明によれば、レーザー光を照射して印刷処理すると共に、カット処理するので、各種の情報が印刷された様々な形状やサイズの印刷シートを得ることができ、例えば、可変情報等が印刷された様々な形状やサイズのラベル等を作製することができる。
【００３２】
これによって、例えば、ス−パ−マーケットや食料品の調理加工センター等の商品メーカーにおいて、ラベルの形状やサイズ等を任意に選択することが可能となり、従来のように希望する形状等のラベルのラベルシートを、ラベルメーカーから新たに提供してもらう必要がなく、利便性が向上する。
【図面の簡単な説明】
【００３３】
【図１】図１は本発明の一実施形態のレーザー処理装置の概略構成図である。
【図２】図２は図１のシート原紙を示す図である。
【図３】図３は図２のシート原紙の概略断面図である。
【図４】図４はレーザー装置による印刷処理及びカット処理を説明するための図である。
【図５】図５は図１のラベルシートを示す図である。
【図６】図６はカット溝の他の形状を示す図である。
【図７】図７はカット溝の更に他の形状を示す図である。
【図８】図８は配送伝票用のシート原紙の概略断面図である。
【図９】図９はレーザー装置による印刷処理及びカット処理を説明するための図である。
【図１０】図１０は本発明の一実施形態の包装材の概略断面図である。
【発明を実施するための形態】
【００３４】
以下、本発明の実施形態を図面に基づいて詳細に説明する。
【００３５】
図１は、本発明の一実施形態のレーザー処理装置１の概略構成図である。
【００３６】
この実施形態のレーザー処理装置１は、例えば、ス−パ−マーケットや食料品の調理加工センター等の商品メーカーに備えられている。商品メーカーでは、上記のように、ラベルメーカーから多数のラベルが剥離シートに仮着されたロール状のラベルシートの提供を受け、このラベルシートのラベルに、食料品等の商品の品名、価格、賞味期限等の可変情報を印刷し、剥離シートからラベルを剥離して包装された商品に貼り付けるようにしている。
【００３７】
この実施形態では、多数のラベルが剥離シートに仮着されたロール状のラベルシートがラベルメーカーから提供されるのではなく、図２に示すように、裏面の剥離シート６上の全面に、被印刷層としての感熱記録層９等が形成された被印刷シートとしてのシート原紙２が提供される。
【００３８】
このシート原紙２は、図３の概略断面図に示すように、シート状の基材８上に、レーザー光によって可変情報等が印刷記録される被印刷層としての前記感熱記録層９が形成され、基材８の裏面が、粘着剤層１０を介して剥離シート６に仮着されている。
【００３９】
基材８は、特に制限はなく、紙、樹脂フィルム、あるいは、それらを積層した複合基材であってもよく、従来のタック紙等の基材として使用されている各種の基材を用いることができる。
【００４０】
感熱記録層９は、レーザー光の熱によって発色するものであり、従来の感熱記録層と同様の材料で構成される。すなわち、この感熱記録層９は、バインダ中に顕色剤及びロイコ染料等を分散させた塗料を、塗布乾燥させて構成される。
【００４１】
粘着剤層１０の粘着剤としては、従来のタック紙等に使用される各種の粘着剤を使用することができる。
【００４２】
剥離シート６としては、従来公知の剥離紙や剥離フィルムなどを使用することができる。
【００４３】
この実施形態のレーザー処理装置１は、図１に示すように、ロール状のシート原紙２から繰り出されて一対の上流側ローラ２２を介して搬送されるロール原紙２に対して、レーザー光１１を照射して可変情報を印刷する印刷処理を行うと共に、印刷した領域の周囲を、枠状にカットするカット処理を行うレーザー処理手段としてのレーザー装置３を備えている。
【００４４】
レーザー装置３による印刷処理及びカット処理は、シート原紙２を搬送させながら行ってもよいし、シート原紙２の搬送を一旦停止させた状態で行ってもよい。
【００４５】
このレーザー装置３は、ＣＯ２レーザー、ＹＡＧレーザー等で構成されたレーザー発振器、レーザー光のビーム径を調整するビームエキスパンダ、反射ミラー、レーザービームを走査するガルバノスキャナ、レーザー発振器の出力とレーザービームの走査速度等を制御すると共に、シート原紙２の搬送を制御する制御部と、各種の設定入力や表示を行う操作部等を備えている。
【００４６】
このレーザー装置３は、予め設定された品名や賞味期限等の可変情報を表す数字や文字等の形状に沿ってレーザー光１１を、シート原紙２に対して照射する。これによって、シート原紙２の感熱記録層９におけるレーザー光１１の照射部分が、レーザー光１１の熱によって発色し、図４に示されるように、可変情報を表す文字等１２が印刷される。
【００４７】
更に、レーザー装置３は、可変情報が印刷された領域を囲むように、予め設定された矩形等の形状に沿って、レーザー出力を強めてレーザー光１１を照射し、カット溝１３を形成するカット処理を行う。このカット溝１３は、シート原紙２の剥離シート６を切断しない深さまで形成される。これによって、可変情報が印刷された領域を、枠状のカット溝１３によって囲んだ矩形のラベル１４が区画形成される。
【００４８】
レーザー装置３は、シート原紙２に対して、可変情報の印刷処理と、印刷した領域を囲むカット処理とを交互に繰り返すことによって、シート原紙２の長手方向に沿って多数のラベル１４を区画形成する。
【００４９】
このように本実施形態のレーザー処理装置１では、レーザー光を、シート原紙２に照射して印刷処理する工程と、前記シート原紙２をカット処理する工程とを実施する。なお、ラベル１４の印刷処理とカット処理とは、いずれを先に行ってもよく、枠状のカット溝１３を形成するカット処理を行った後に、その枠内に可変情報等を印刷してもよい。
【００５０】
上記のように多数のラベル１４が区画形成されたシート原紙２は、カット溝１３の外側の不要なラベルカス１５を、図１に示されるラベルカス巻取りロール４で巻取って除去する。ラベルカス１５が除去されることによって、図５に示されるように、多数のラベル１４が剥離シート６に仮着されたラベルシート５となり、一対の下流側ローラ２３を介してロール状に巻き取られる。
【００５１】
このように、品名や賞味期限等の可変情報を示す文字等１２が印刷された多数のラベル１４が仮着されたラベルシート５が得られるので、このラベルシート５を、例えば、ラベル貼付け機に装着してラベル１４を剥離シート６から剥がして、包装した食料品等の商品に貼着する。
【００５２】
上記のようにレーザー処理装置１によって、シート原紙２に、印刷処理、及び、カット処理を行うので、印刷する可変情報の内容は勿論、シート原紙２の幅方向の長さは制限されるものの、ラベル１４の形状やサイズを任意に選択することが可能となる。
【００５３】
これによって、各種の商品のサイズ等に応じた種々のラベルを、ラベルメーカーからの提供を受けることなく、商品メーカーにおいて、容易に作製することができる。また、ラベルの形状を、例えば、星形やハート形等とし、意匠的な効果を発揮させるようにしてもよい。
【００５４】
更に、カット溝１３は、上記のように枠状に切断する形状に限らず、例えば、図６に示すように、シート原紙２の幅方向に沿ってその全幅に亘って切断するような形状であってもよい。あるいは、図７に示すように、シート原紙２の幅方向の少なくとも一方の端部、この例では、シート原紙２の幅方向の両端部に、幅方向に沿ってカット溝１３を形成すると共に、シート原紙２の長手方向に沿って、幅方向のカット溝１３のカット端に繋がるようにカット溝１３を形成し、シート原紙２の幅方向の両端部を、例えば矩形に切欠くように切断する形状であってもよい。
【００５５】
本発明のレーザー処理装置は、上記のような食料品等の商品ラベルに限らず、宛名ラベルや配送伝票等にも適用できるものである。
【００５６】
図８は、配送伝票用のシート原紙２ａの図３に対応する断面図であり、図３に対応する部分には、同一の参照符号を付す。
【００５７】
配送伝票には、配送先である宛先の住所、氏名、電話番号等の個人情報が印刷されており、かかる配送伝票が、被貼着物品である配送対象物品に貼着されて配送される。配送後は、個人情報が不正利用されることのないように、配送伝票は、配送対象物品から剥離除去されて廃棄される。
【００５８】
この実施形態の配送伝票用のシート原紙２ａでは、配送後の配送伝票の剥離を容易に行えるように、基材８と粘着剤層１０と間に、基材８を、被貼着物品である配送対象物品から剥離する際に、凝集破壊する破壊層１６が設けられている。この凝集破壊を起こす破壊層１６は、従来公知の凝集破壊層と同様の材料で構成される。
【００５９】
この配送伝票用のシート原紙２ａでは、上記のレーザー処理装置１によって、図９に示すように、宛先の住所、氏名等を表す文字等１２ａが印刷処理されると共に、配送伝票のサイズのカット溝１３ａを形成するカット処理されて配送伝票７が区画形成される。
【００６０】
配送伝票７が区画形成されたシート原紙２ａは、カット溝１３ａの外側の不要なラベルカス１５ａが除去されて、剥離シート６上に、多数の配送伝票７が貼り付けられた配送伝票シートが得られる。
【００６１】
この配送伝票シートから、配送伝票が剥がされて配送対象物品に貼着されて配送される。
【００６２】
配送先では、配送対象物品から配送伝票が剥がされる。このとき、シート原紙２ａには、上記のように、粘着剤層１０と基材８との間に、破壊層１６が形成されているので、配送対象物品から宛先等が印刷された配送伝票を剥離する際に、破壊層１６で凝集破壊を起こし、この破壊層１６の部分で剥離される。これによって、容易に配送伝票を剥がすことができると共に、配送対象物品に残った粘着剤を凝集破壊した破壊層が覆うことによって、粘着剤によるべたつきを防止することができる。
【００６３】
次に、レーザー光の照射によって印刷処理されると共に、所要の形状にカット処理されるのに好適な包装材について説明する。
【００６４】
図１０は、本発明の一実施形態の包装材の概略断面図であり、図８に対応する部分には、同一の参照符号を付す。
【００６５】
この実施形態の包装材１７は、例えば、配送対象物品を包装して配送するのに好適な包装材であり、上記ラベルや配送伝票に比べて、シート原紙の幅は大きく、種々のサイズの物品の包装に対応できるようになっている。
【００６６】
この実施形態の包装材１７では、粘着剤層１０は、剥離シート６ではなく、包装シートとしての薄い段ボールシート１８に接着されている。この段ボールシート１８は、上下の表面材１９，２０の間に、波状に連続する中芯２１を配設した周知の構造である。
【００６７】
この包装材１７は、裏面側には、包装シートとしての薄い段ボールシート１８が設けられると共に、表面側には、レーザー光の照射によって印刷可能な感熱記録層９が設けられている。この包装材１７に対して、上記のラベル等と同様に、レーザー光の照射によって、宛先の住所、氏名等の印刷処理を行うと共に、その印刷領域の周囲を囲むように配送伝票に応じた枠状にカット溝を形成する第１のカット処理を行い、更に、配送対象物品を包装するのに必要な包装材のサイズにカットする第２のカット処理を行う。
【００６８】
これによって、宛先等を含む配送伝票が印刷された所要のサイズの包装材が得られる。
【００６９】
このように宛先等を含む配送伝票が、包装材１７に直接印刷されるので、配送伝票や宛名ラベル等を貼付する必要がなく、包装作業を簡素化することができる。
【００７０】
なお、配送対象物品を包装するのに必要な包装材のサイズが小さいような場合には、印刷領域を囲むように枠状にカット溝を形成する第１のカット処理は、省略してもよい。
【００７１】
包装材１７の表面側の感熱記録層９には、配送のための宛名等の情報に限らず、例えば、包装される物品名や物品の取扱いに関する注意事項等の情報を印刷してもよい。
【００７２】
更に、包装材１７の表面側の感熱記録層９に、絵柄等を印刷して意匠的な効果や広告情報などを印刷して宣伝効果をもたらすようにしてもよい。
【００７３】
なお、包装材１７の裏面側の包装シートは、段ボールシートに限らず、例えば、気泡緩衝シートであってもよく、それらを組合せてもよい。
【００７４】
被印刷層は、レーザー光の照射によって印刷できればよく、上記感熱記録層９に限らず、例えば、基材上に、黒色等の着色層を形成し、この着色層上に、熱によって透明になる樹脂粒子層を形成し、レーザー光の照射によって前記樹脂粒子層を透明化して印刷するものであってもよく、あるいは、基材上に、着色層を形成し、レーザー光の照射によって、この着色層を除去して下地の基材の色との対比で印刷を行うものなどであってもよい。
【００７５】
シート原紙２，２ａや包装材１７は、上記図３、図８、図１０の構成に限るものではなく、他の層を設けてもよく、例えば、感熱記録層上に、透明な保護層を形成してもよい。
【符号の説明】
【００７６】
１              レーザー処理装置
２，２ａ        シート原紙（被印刷シート）
３              レーザー装置（レーザー処理手段）
４              ラベルカス巻取りロール
５              ラベルシート
６              剥離シート
７              配送伝票
８              基材
９              感熱記録層（被印刷層）
１０            粘着剤層
１１            レーザー光
１４            ラベル
１７            包装材
【図１】
2018202831.tif 000003
【図２】
2018202831.tif 000004
【図３】
2018202831.tif 000005
【図４】
2018202831.tif 000006
【図５】
2018202831.tif 000007
【図６】
2018202831.tif 000008
【図７】
2018202831.tif 000009
【図８】
2018202831.tif 000010
【図９】
2018202831.tif 000011
【図１０】
2018202831.tif 000012